(57)【要約】      （修正有）【課題】頭に装着して頭の形状を整えることによって髪型を整えるために用いられる頭形状修正パッドを提供する。【解決手段】パッド部Ｐからなる頭形状修正パッドにおいて、パッド部Ｐが、周辺部から中心部に向けて盛り上がった形状をし、盛り上がった中心部に貫通孔Ｐｈを有し、スリット状の切欠き部Ｎを有し貫通孔Ｐｈから下方外周部まで、スリット状の切り欠き部Ｎを有してなることを特徴とする。【選択図】図１
0003196021.tif 000002
【実用新案登録請求の範囲】
【請求項１】
パッド部からなる頭形状修正パッドにおいて、パッド部が、周辺部から中心部に向けて盛り上がった形状をし、盛り上がった中心部に貫通孔を有し、スリット状の切欠き部を有し貫通孔から下方外周部まで、スリット状の切り欠き部を有してなることを特徴とする頭形状修正パッド。
【請求項２】
スリット状の切欠き部のスリット幅が貫通孔部におけるより下方外周部において広くなっていることを特徴とする請求項１に記載された頭形状修正パッド。
【請求項３】
上記のパッド部は詰め物とそれを覆う布から形成されてなることを特徴とする請求項１〜２の何れかに記載された頭形状修正パッド。
【請求項４】
上記の髪留め具（Ｈ）が、コの字型部と板バネ部（ｐｓ）と留め部材（ｈｈ）からなり、コの字型部の両端部が板バネ部（ｐｓ）の両端部とが、板バネ部（ｐｓ）が残留圧縮応力を有する形で結合してなり、コの字型部と留め部材（ｈｈ）で髪を挟み込んで、髪を留めることを特徴とする請求項１〜３の何れかに記載された頭形状修正パッド。
【請求項５】
上記のコの字型部と板バネ部（ｐｓ）が、結合してロの字型の板状となっていることを特徴とする請求項１〜４の何れかに記載された頭形状修正パッド。
【考案の詳細な説明】
【技術分野】
【０００１】
本考案は、頭形状修正パッドに関する。
【背景技術】
【０００２】
寝ぐせやハネ、うねり等の頭髪の乱れをヘアードライヤー等で整える方法、あるいは、頭髪を刈って髪型を整える方法等が従来技術として一般的に行われていた。
しかしながら、頭の形状も人それぞれ異なっていることもあって、例えば、後頭部上方が欠けているおにぎり頭状のような場合、後頭部が平らな絶壁状の頭のような場合は、従来の髪を整える方法では、綺麗な輪郭線状に髪を整えることができなかった。
したがって、頭の形状が悪い場合であっても、綺麗な輪郭線状に髪を整えることができる技術手段の出現が望まれていた。
【０００３】
発明者は、かかる従来技術の欠点に鑑みて、種々検討した結果、髪だけを整えるのではなく、髪の土台である頭の形状を修正するパッドを装着したら、頭の形状が悪い場合であっても、頭の形状の修正が可能となり、綺麗な輪郭線状に髪を整えることができることに初めて気が付いて、本発明を想到するに至った。
【先行技術文献】
【特許文献】
【０００４】
本願発明に係る頭形状修正パッドについて、ＦＩ、キーワード検索を行ったところ、本件考案（頭形修正パッド）に近い考案等記載文献は、発見されませんでしたので、特許文献の記載は省略する。
【考案の概要】
【考案が解決しようとする課題】
【０００５】
○本考案が解決しようとする第１課題  本考案が解決しようとする第１課題は、頭に装着して頭の形状を整えることによって髪型を整えるために用いられる頭形状修正パッドを提供することである。
○本考案が解決しようとする第２課題  本考案が解決しようとする第２課題は、特に、ポニーテール等後頭部で髪の毛を纏めると頭の形状がそのまま表れ、格好良く髪を整形することができないという不都合を解消する頭の形状を補いつつ、髪を整える頭形状修正パッドを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○パッド部（Ｐ）とは、頭に装着して頭の新たな形状を形作る部材である。
○形状修正パッド（１００）とは、頭形状修正パッドとは、頭に装着して頭の形状を整えることによって髪型を整えるために用いられる頭形修正用パッドをいう。
○周辺部（ｃ）とは、周辺部から中心部に向けて盛り上がった形状をしたパッド部において、パッド部の周辺輪郭部をいう。
○中心部（ｏ）とは、周辺部から中心部に向けて盛り上がった形状をしたパッド部において、盛り上がった中心部をいう。
○貫通孔（ｐｈ）とは、パッド部の中を貫いて反対側に抜けるようにした孔である。
貫通孔は、スリット状の切欠き部とパット部周辺部の大気と通じている。
○スリット状とは、細長いすき間の形状の意味である。
○切欠き部（Ｎ）とは、パッド部の中心部の貫通孔から下方外周部まで、細長く切り取った溝状の部分の意味である。本願発明に係る頭形状修正パッドを使用する際には、束ねた髪の毛をスリット状の切欠き部から貫通孔まで入れて、束ねた髪の毛を頭形状修正パッドの外側に出す。
○内容物（ｉｂ）とは、布で覆った中身をいい、詰め物でも成形体で一体となったものでもよい。
○布（ｃｌ）とは、内容物（ｉｂ）を覆うための織物をいう。
○髪留め具（Ｈ）とは、髪の毛（ｈｒ）と頭形状修正パッド（１００）の装着当接具（Ｆ）とを結合して頭形状修正パッド（１００）が落下しないように頭形状修正パッド（１００）を留めるための器具（金具である場合が多いが、これに限らない。）である（図１〜図３、図７）。
○コの字型部とは、コの字型の形状をした部材であって、板バネ部に比較して剛性が大きくなるように形成される。コの字型部の両端部が板バネ部の両端部とが、板バネ部が残留圧縮応力を有する形で結合してなり、コの字型部と留め部材で髪を挟み込んで、髪を留める。
髪止め具が、髪を留める前には、板バネ部は頭部と反対方向に曲がった状態で、圧縮応力が掛かっており、板バネ部を内側に押すと、パコと音がして、押した方向（内側）に反転して、押した方向（内側）に曲がって、かつ、圧縮応力が掛かった状態となる。板バネ部には留め部材が板バネ部を延長した状態で結合されてなり、コの字型部と留め部材で髪を挟み込んで、髪を留める。
○板バネ部（ｐｓ）とは、コの字型部の両端部にバネ部の両端部が、頭部内側と反対方向（外側）に曲がって、かつ、圧縮応力が掛かった状態で結合してなり、髪を留める前には、板バネ部を内側に押すと、パコと音がして、押した方向（内側方向）に反転して、押した方向（内側方向）に曲がって、かつ、圧縮応力が掛かった状態となる。板バネ部には留め部材が板バネ部を延長した状態で結合されてなり、コの字型部と留め部材で髪を挟み込んで、髪を留める。
○留め部材（ｈｈ）とは、留め部材とは、板バネ部に結合されてなり、板バネ部に蓄えられたエネルギーを利用してコの字型部と留め部材で髪を挟み込んで、髪を留めるものである（図７〜図１１）。
○ロの字型の板状とは、コの字型部と板バネ部を結合した際にロの字型の形状の板の状態をいう（図７）。
＜符号の説明＞
○本発明に係る頭形状修正パッド（１００）及び頭形状修正パッド（１００）の構成要素を説明する場合の方向については、以下のように定義する。
人の後頭部に頭形状修正パッド（１００）を装着した場合を基準に、方向を以下の通り定義する。なお、頭形状修正パッド（１００）を装着していない場合についても、  人の後頭部に頭形状修正パッド（１００）を装着した場合を基準にとっても一般性は失われないので、人の後頭部に頭形状修正パッド（１００）を装着した場合を基準にとることにする。
○上記の方向については、人が起立して真っ直ぐ正面を向いた状態において、頭の中心Ｏを基準にして、頭の中心Ｏから頭頂方向を上方向（ｚ方向）とし、頭の中心Ｏから外側へ遠ざかる方向を外側方向（ｒ方向）とし、頭の中心Ｏから左右水平方向  （ｙ方向）とし、頭の中心Ｏから前後水平方向を前後方向（ｘ方向）とする。
○ＰＷは、留め部材（ｈｈ）に加える力と力の方向を表す（図５）。
＊＊＊＊＊＊＊＊＊＊＊＊＊＊＊＊＊＊＊＊＊＊＊＊＊＊＊＊＊＊＊＊＊＊＊
本発明の理解を容易にするために、頭形状修正パッドの使用方法について、
以下説明を行うこととする。
＜頭形状修正パッドの使用方法＞
頭形状修正パッド（１００）を頭の形状を修正しようとする頭の箇所に宛がって、頭形状修正パッド（１００）の留め部材（ｈｈ）により髪を挟み込んで頭形状修正パッド（１００）を頭に動かないように固定する。
こうすることにより、頭形状修正パッド（１００）を頭に装着することによって頭の新たな形状を形作ることが可能となる。
そして、頭形状具（Ｓ）の隙間から、髪の毛を出すことにより、頭形状修正パッド（１００）全体を見えないように隠すと共に、頭形状修正パッド（１００）を覆って固定することが可能となる。
＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、パッド部からなる頭形状修正パッドにおいて、パッド部が、周辺部から中心部に向けて盛り上がった形状をし、盛り上がった中心部に貫通孔を有し、スリット状の切欠き部を有し貫通孔から下方外周部まで、スリット状の切り欠き部を有してなることを特徴とする頭形状修正パッドである。
○第２の考案（請求項２に記載の考案）
上記の課題を解決するための第2の考案（請求項2に記載の考案）は、スリット状の切欠き部のスリット幅が貫通孔部におけるより下方外周部において広くなっていることを特徴とする請求項１に記載された頭形状修正パッドである。
○第３の考案（請求項３に記載の考案）
上記の課題を解決するための第3の考案（請求項3に記載の考案）は、上記のパッド部は詰め物とそれを覆う布から形成されてなることを特徴とする請求項１〜２の何れかに記載された頭形状修正パッドである。
○第4の考案（請求項4に記載の考案）
上記の課題を解決するための第4の考案（請求項4に記載の考案）は、上記の髪留め具（Ｈ）が、コの字型部と板バネ部（ｐｓ）と留め部材（ｈｈ）からなり、コの字型部の両端部が板バネ部（ｐｓ）の両端部とが、板バネ部（ｐｓ）が残留圧縮応力を有する形で結合してなり、コの字型部と留め部材（ｈｈ）で髪を挟み込んで、髪を留めることを特徴とする請求項１〜３の何れかに記載された頭形状修正パッドである。
○第5の考案（請求項5に記載の考案）
上記の課題を解決するための第5の考案（請求項5に記載の考案）は、上記のコの字型部と板バネ部（ｐｓ）が、結合してロの字型の板状となっていることを特徴とする請求項１〜4の何れかに記載された頭形状修正パッドである。
【考案の効果】
【０００７】
本考案に係る、頭形状修正パッドは、上記のような特徴的構成要件から構成され、特徴的構成要件に応じた、以下のような本願考案特有の効果を奏する。
また、上記の各考案に応じた、上記のような特徴的構成要件から構成された頭形状修正パッドによれば、本願考案の課題を十分解消することができた。
○第１の考案の効果
第１の考案によれば、パッド部からなる頭形状修正パッドにおいて、パッド部が、周辺部から中心部に向けて盛り上がった形状をし、盛り上がった中心部に貫通孔を有し、スリット状の切欠き部を有し貫通孔から下方外周部まで、スリット状の切り欠き部を有してなることという特徴的な構成要件により、本考案が解決しようとする第１課題〜第２課題を達成することができ、当業者予測不可能な顕著な効果を奏することができた。
○第２の考案の効果
第２の考案によれば、スリット状の切欠き部のスリット幅が貫通孔部におけるより下方外周部において広くなっていることという特徴的な構成要件により、本考案が解決しようとする第１課題〜第５課題を達成することができ、当業者予測不可能な顕著な効果を奏することができた。
○第３の考案の効果
第３の考案によれば、上記のパッド部は詰め物とそれを覆う布から形成されてなることという特徴的な構成要件により、本考案が解決しようとする第１課題〜第５課題を達成することができ、当業者予測不可能な顕著な効果を奏することができた。
○第４の考案の効果
第４の考案によれば、上記の髪留め具（Ｈ）が、コの字型部と板バネ部（ｐｓ）と留め部材（ｈｈ）からなり、コの字型部の両端部が板バネ部（ｐｓ）の両端部とが、板バネ部（ｐｓ）が残留圧縮応力を有する形で結合してなり、コの字型部と留め部材（ｈｈ）で髪を挟み込んで、髪を留めることという特徴的な構成要件により、本考案が解決しようとする第１課題〜第２課題を達成することができ、当業者予測不可能な顕著な効果を奏することができた。
○第５の考案の効果
第５の考案によれば、上記のコの字型部と板バネ部（ｐｓ）が、結合してロの字型の板状となっていることという特徴的な構成要件により、本考案が解決しようとする第１課題〜第２課題を達成することができ、当業者予測不可能な顕著な効果を奏することができた。
【考案を実施するための最良の形態】
【０００８】
以下、本考案に係る、頭形状修正パッドに関する最良の実施形態について、図面を参照しながら説明する。
図１は、本発明に係る、形状修正パッドの斜視図である。
図２は、本発明に係る、形状修正パッドの平面図である。
図３は、本発明に係る、形状修正パッドの右側面図である。
図4は、髪留め具の平面図である。
図5は、髪を留める前の板バネ部の状態を表す図２のＡ−Ａ矢視断面図である。
図６は、髪を留める前の留め部材の状態を表す図２のＢ−Ｂ矢視断面図である。
図７は、髪を留めた時の板バネ部の状態を表す図２のＡ−Ａ矢視断面図である。
図８は、髪を留めた時の留め部材の状態を表す図２のＢ−Ｂ矢視断面図である。
図９（ａ）は、頭頂部後方が欠けているおにぎり頭の場合、本発明に係る、形状修正パッドを着用した場合の効果を表している。図９（ｂ）は、後頭後が平らな絶頂頭の場合、本発明に係る、形状修正パッドを着用した場合の効果を表している。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
以下、本考案に係る、頭形状修正パッドについて、図面（図１〜図９）を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の頭形状修正パッドにおいて、パッド部からなる頭形状修正パッドにおいて、パッド部が、周辺部から中心部に向けて盛り上がった形状をし、盛り上がった中心部に貫通孔を有し、スリット状の切欠き部を有し貫通孔から下方外周部まで、スリット状の切り欠き部を有してなることを特徴とする頭形状修正パッドが開示されている（図１〜図９）。
第１の考案によればパッド部からなる頭形状修正パッドにおいて、パッド部が、周辺部から中心部に向けて盛り上がった形状をし、盛り上がった中心部に貫通孔を有し、スリット状の切欠き部を有し貫通孔から下方外周部まで、スリット状の切り欠き部を有してなることという特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の頭形状修正パッドにおいて、スリット状の切欠き部のスリット幅が貫通孔部におけるより下方外周部において広くなっていることを特徴とする請求項１に記載された頭形状修正パッドが開示されている（図１〜図９）。
第２の考案によればスリット状の切欠き部のスリット幅が貫通孔部におけるより下方外周部において広くなっていることという特徴的な構成要件により、本考案が解決しようとする第１課題〜第５課題を達成することができ、当業者予測不可能な顕著な効果を奏することができた。
33333＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の頭形状修正パッドにおいて、上記のパッド部は詰め物とそれを覆う布から形成されてなることを特徴とする請求項１〜２の何れかに記載された頭形状修正パッドが開示されている（図１〜図９）。
第３の考案によれば上記のパッド部は詰め物とそれを覆う布から形成されてなることという特徴的な構成要件により、本考案が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の頭形状修正パッド１００において、上記の髪留め具Ｈが、コの字型部と板バネ部ｐｓと留め部材ｈｈからなり、コの字型部の両端部が板バネ部ｐｓの両端部とが、板バネ部ｐｓが残留圧縮応力を有する形で結合してなり、コの字型部と留め部材ｈｈで髪を挟み込んで、髪を留めることを特徴とする請求項１〜３の何れかに記載された頭形状修正パッド１００が開示されている（図１〜図９）。
第４の考案によれば上記の髪留め具Ｈが、コの字型部と板バネ部ｐｓと留め部材ｈｈからなり、コの字型部の両端部が板バネ部ｐｓの両端部とが、板バネ部ｐｓが残留圧縮応力を有する形で結合してなり、コの字型部と留め部材ｈｈで髪を挟み込んで、髪を留めることという特徴的な構成要件により、本考案が解決しようとする第１課題〜第２課題を達成することができ、当業者予測不可能な顕著な効果を奏することができた。
５５５５５頭形状修正パッド１００＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の頭形状修正パッド１００において、上記のコの字型部と板バネ部ｐｓが、結合してロの字型の板状となっていることを特徴とする請求項１〜４の何れかに記載された頭形状修正パッド１００が開示されている（図１〜図９）。
第５の考案によれば上記のコの字型部と板バネ部ｐｓが、結合してロの字型の板状となっていることという特徴的な構成要件により、本考案が解決しようとする第１課題〜第２課題を達成することができ、当業者予測不可能な顕著な効果を奏することができた。
【図面の簡単な説明】
【０００９】
【図１】図１は、本発明に係る、形状修正パッドの斜視図である。
【図２】図２は、本発明に係る、形状修正パッドの平面図である。
【図３】図３は、本発明に係る、形状修正パッドの右側面図である。
【図４】図4は、髪留め具の平面図である。
【図５】図5は、髪を留める前の板バネ部の状態を表す図２のＡ−Ａ矢視断面図である。
【図６】図６は、髪を留める前の留め部材の状態を表す図２のＢ−Ｂ矢視断面図である。
【図７】図７は、髪を留めた時の板バネ部の状態を表す図２のＡ−Ａ矢視断面図である。
【図８】図８は、髪を留めた時の留め部材の状態を表す図２のＢ−Ｂ矢視断面図である。
【図９】図９（ａ）は、頭頂部後方が欠けているおにぎり頭の場合、本発明に係る、形状修正パッドを着用した場合の効果を表している。図９（ｂ）は、後頭後が平らな絶頂頭の場合、本発明に係る、形状修正パッドを着用した場合の効果を表している。
【符号の説明】
【００１０】
Ｐ……パッド部
１００……頭形状修正パッド
ｃ……周辺部
ｏ……中心部
ｐｈ……貫通孔
Ｎ……切欠き部
ｉｂ……内容物
ｃｌ……布
ａｉｒ……大気
Ｈ……髪留め具
ｋｋ……コの字型部
ｐｓ……板バネ部
ｈｈ……留め部材
ｈｒ……髪の毛
【図１】
0003196021.tif 000003
【図２】
0003196021.tif 000004
【図３】
0003196021.tif 000005
【図４】
0003196021.tif 000006
【図５】
0003196021.tif 000007
【図６】
0003196021.tif 000008
【図７】
0003196021.tif 000009
【図８】
0003196021.tif 000010
【図９】
0003196021.tif 000011
【手続補正書】
【提出日】平成26年12月10日(2014.12.10)
【手続補正１】
【補正対象書類名】実用新案登録請求の範囲
【補正対象項目名】全文
【補正方法】変更
【補正の内容】
【実用新案登録請求の範囲】
【請求項１】
パッド部からなる頭形状修正パッドにおいて、パッド部が、周辺部から中心部に向けて盛り上がった形状をし、盛り上がった中心部に貫通孔を有し、スリット状の切欠き部を有し貫通孔から下方外周部まで、スリット状の切り欠き部を有してなることを特徴とする頭形状修正パッド。
【請求項２】
スリット状の切欠き部のスリット幅が貫通孔部におけるより下方外周部において広くなっていることを特徴とする請求項１に記載された頭形状修正パッド。
【請求項３】
上記のパッド部は詰め物とそれを覆う布から形成されてなることを特徴とする請求項１〜２の何れかに記載された頭形状修正パッド。
【請求項４】
頭形状修正パッドが落下しないように頭形状修正パッドを留めるための髪留め具（Ｈ）が、コの字型部と板バネ部（ｐｓ）と留め部材（ｈｈ）からなり、コの字型部の両端部と板バネ部（ｐｓ）の両端部とが、板バネ部（ｐｓ）が残留圧縮応力を有する形で結合してなり、コの字型部と留め部材（ｈｈ）で髪を挟み込んで、髪を留めることを特徴とする請求項１〜３の何れかに記載された頭形状修正パッド。
【請求項５】
上記のコの字型部と板バネ部（ｐｓ）が、結合してロの字型の板状となっていることを特徴とする請求項4に記載された頭形状修正パッド。
【手続補正２】
【補正対象書類名】明細書
【補正対象項目名】全文
【補正方法】変更
【補正の内容】
【考案の詳細な説明】
【技術分野】
【０００１】
本考案は、頭形状修正パッドに関する。
【背景技術】
【０００２】
寝ぐせやハネ、うねり等の頭髪の乱れをヘアードライヤー等で整える方法、あるいは、頭髪を刈って髪型を整える方法等が従来技術として一般的に行われていた。
しかしながら、頭の形状も人それぞれ異なっていることもあって、例えば、後頭部上方が欠けているおにぎり頭状のような場合、後頭部が平らな絶壁状の頭のような場合は、従来の髪を整える方法では、綺麗な輪郭線状に髪を整えることができなかった。
したがって、頭の形状が悪い場合であっても、綺麗な輪郭線状に髪を整えることができる技術手段の出現が望まれていた。
【０００３】
発明者は、かかる従来技術の欠点に鑑みて、種々検討した結果、髪だけを整えるのではなく、髪の土台である頭の形状を修正するパッドを装着したら、頭の形状が悪い場合であっても、頭の形状の修正が可能となり、綺麗な輪郭線状に髪を整えることができることに初めて気が付いて、本発明を想到するに至った。
【先行技術文献】
【特許文献】
【０００４】
本願発明に係る頭形状修正パッドについて、ＦＩ、キーワード検索を行ったところ、本件考案（頭形修正パッド）に近い考案等記載文献は、発見されませんでしたので、特許文献の記載は省略する。
【考案の概要】
【考案が解決しようとする課題】
【０００５】
○本考案が解決しようとする第１課題  本考案が解決しようとする第１課題は、頭に装着して頭の形状を整えることによって髪型を整えるために用いられる頭形状修正パッドを提供することである。
○本考案が解決しようとする第２課題  本考案が解決しようとする第２課題は、特に、ポニーテール等後頭部で髪の毛を纏めると頭の形状がそのまま表れ、格好良く髪を整形することができないという不都合を解消する頭の形状を補いつつ、髪を整える頭形状修正パッドを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○パッド部（Ｐ）とは、頭に装着して頭の新たな形状を形作る部材である。
○形状修正パッド（１００）とは、頭形状修正パッドとは、頭に装着して頭の形状を整えることによって髪型を整えるために用いられる頭形修正用パッドをいう。
○周辺部（ｃ）とは、周辺部から中心部に向けて盛り上がった形状をしたパッド部において、パッド部の周辺輪郭部をいう。
○中心部（ｏ）とは、周辺部から中心部に向けて盛り上がった形状をしたパッド部において、盛り上がった中心部をいう。
○貫通孔（ｐｈ）とは、パッド部の中を貫いて反対側に抜けるようにした孔である。
貫通孔は、スリット状の切欠き部とパット部周辺部の大気と通じている。
○スリット状とは、細長いすき間の形状の意味である。
○切欠き部（Ｎ）とは、パッド部の中心部の貫通孔から下方外周部まで、細長く切り取った溝状の部分の意味である。本願発明に係る頭形状修正パッドを使用する際には、束ねた髪の毛をスリット状の切欠き部から貫通孔まで入れて、束ねた髪の毛を頭形状修正パッドの外側に出す。
○内容物（ｉｂ）とは、布で覆った中身をいい、詰め物でも成形体で一体となったものでもよい。
○布（ｃｌ）とは、内容物（ｉｂ）を覆うための織物をいう。
○髪留め具（Ｈ）とは、髪の毛（ｈｒ）と頭形状修正パッド（１００）の装着当接具（Ｆ）とを結合して頭形状修正パッド（１００）が落下しないように頭形状修正パッド（１００）を留めるための器具（金具である場合が多いが、これに限らない。）である（図１〜図３、図７）。
○コの字型部とは、コの字型の形状をした部材であって、板バネ部に比較して剛性が大きくなるように形成される。コの字型部の両端部が板バネ部の両端部とが、板バネ部が残留圧縮応力を有する形で結合してなり、コの字型部と留め部材で髪を挟み込んで、髪を留める。
髪止め具が、髪を留める前には、板バネ部は頭部と反対方向に曲がった状態で、圧縮応力が掛かっており、板バネ部を内側に押すと、パコと音がして、押した方向（内側）に反転して、押した方向（内側）に曲がって、かつ、圧縮応力が掛かった状態となる。板バネ部には留め部材が板バネ部を延長した状態で結合されてなり、コの字型部と留め部材で髪を挟み込んで、髪を留める。
○板バネ部（ｐｓ）とは、コの字型部の両端部にバネ部の両端部が、頭部内側と反対方向（外側）に曲がって、かつ、圧縮応力が掛かった状態で結合してなり、髪を留める前には、板バネ部を内側に押すと、パコと音がして、押した方向（内側方向）に反転して、押した方向（内側方向）に曲がって、かつ、圧縮応力が掛かった状態となる。板バネ部には留め部材が板バネ部を延長した状態で結合されてなり、コの字型部と留め部材で髪を挟み込んで、髪を留める。
○留め部材（ｈｈ）とは、留め部材とは、板バネ部に結合されてなり、板バネ部に蓄えられたエネルギーを利用してコの字型部と留め部材で髪を挟み込んで、髪を留めるものである（図７〜図１１）。
○ロの字型の板状とは、コの字型部と板バネ部を結合した際にロの字型の形状の板の状態をいう（図７）。
＜符号の説明＞
○本発明に係る頭形状修正パッド（１００）及び頭形状修正パッド（１００）の構成要素を説明する場合の方向については、以下のように定義する。
人の後頭部に頭形状修正パッド（１００）を装着した場合を基準に、方向を以下の通り定義する。なお、頭形状修正パッド（１００）を装着していない場合についても、  人の後頭部に頭形状修正パッド（１００）を装着した場合を基準にとっても一般性は失われないので、人の後頭部に頭形状修正パッド（１００）を装着した場合を基準にとることにする。
○上記の方向については、人が起立して真っ直ぐ正面を向いた状態において、頭の中心Ｏを基準にして、頭の中心Ｏから頭頂方向を上方向（ｚ方向）とし、頭の中心Ｏから外側へ遠ざかる方向を外側方向（ｒ方向）とし、頭の中心Ｏから左右水平方向  （ｙ方向）とし、頭の中心Ｏから前後水平方向を前後方向（ｘ方向）とする。
○ＰＷは、留め部材（ｈｈ）に加える力と力の方向を表す（図５）。
＊＊＊＊＊＊＊＊＊＊＊＊＊＊＊＊＊＊＊＊＊＊＊＊＊＊＊＊＊＊＊＊＊＊＊
本発明の理解を容易にするために、頭形状修正パッドの使用方法について、
以下説明を行うこととする。
＜頭形状修正パッドの使用方法＞
頭形状修正パッド（１００）を頭の形状を修正しようとする頭の箇所に宛がって、頭形状修正パッド（１００）の留め部材（ｈｈ）により髪を挟み込んで頭形状修正パッド（１００）を頭に動かないように固定する。
こうすることにより、頭形状修正パッド（１００）を頭に装着することによって頭の新たな形状を形作ることが可能となる。
そして、頭形状具（Ｓ）の隙間から、髪の毛を出すことにより、頭形状修正パッド（１００）全体を見えないように隠すと共に、頭形状修正パッド（１００）を覆って固定することが可能となる。
＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、パッド部からなる頭形状修正パッドにおいて、パッド部が、周辺部から中心部に向けて盛り上がった形状をし、盛り上がった中心部に貫通孔を有し、スリット状の切欠き部を有し貫通孔から下方外周部まで、スリット状の切り欠き部を有してなることを特徴とする頭形状修正パッドである。
○第２の考案（請求項２に記載の考案）
上記の課題を解決するための第２の考案（請求項２に記載の考案）は、スリット状の切欠き部のスリット幅が貫通孔部におけるより下方外周部において広くなっていることを特徴とする請求項１に記載された頭形状修正パッドである。
○第３の考案（請求項３に記載の考案）
上記の課題を解決するための第３の考案（請求項３に記載の考案）は、上記のパッド部は詰め物とそれを覆う布から形成されてなることを特徴とする請求項１〜２の何れかに記載された頭形状修正パッドである。
○第４の考案（請求項４に記載の考案）
上記の課題を解決するための第４の考案（請求項４に記載の考案）は、頭形状修正パッド（１００）が落下しないように頭形状修正パッド（１００）を留めるための髪留め具（Ｈ）が、コの字型部と板バネ部（ｐｓ）と留め部材（ｈｈ）からなり、コの字型部の両端部と板バネ部（ｐｓ）の両端部とが、板バネ部（ｐｓ）が残留圧縮応力を有する形で結合してなり、コの字型部と留め部材（ｈｈ）で髪を挟み込んで、髪を留めることを特徴とする請求項１〜３の何れかに記載された頭形状修正パッドである。
○第５の考案（請求項５に記載の考案）
上記の課題を解決するための第５の考案（請求項５に記載の考案）は、上記のコの字型部と板バネ部（ｐｓ）が、結合してロの字型の板状となっていることを特徴とする請求項4に記載された頭形状修正パッドである。
【考案の効果】
【０００７】
本考案に係る、頭形状修正パッドは、上記のような特徴的構成要件から構成され、特徴的構成要件に応じた、以下のような本願考案特有の効果を奏する。
また、上記の各考案に応じた、上記のような特徴的構成要件から構成された頭形状修正パッドによれば、本願考案の課題を十分解消することができた。
○第１の考案の効果
第１の考案によれば、パッド部からなる頭形状修正パッドにおいて、パッド部が、周辺部から中心部に向けて盛り上がった形状をし、盛り上がった中心部に貫通孔を有し、スリット状の切欠き部を有し貫通孔から下方外周部まで、スリット状の切り欠き部を有してなることという特徴的な構成要件により、本考案が解決しようとする第１課題〜第２課題を達成することができ、当業者予測不可能な顕著な効果を奏することができた。
○第２の考案の効果
第２の考案によれば、スリット状の切欠き部のスリット幅が貫通孔部におけるより下方外周部において広くなっていることという特徴的な構成要件により、本考案が解決しようとする第１課題〜第５課題を達成することができ、当業者予測不可能な顕著な効果を奏することができた。
○第３の考案の効果
第３の考案によれば、上記のパッド部は詰め物とそれを覆う布から形成されてなることという特徴的な構成要件により、本考案が解決しようとする第１課題〜第５課題を達成することができ、当業者予測不可能な顕著な効果を奏することができた。
○第４の考案の効果
第４の考案によれば、頭形状修正パッド（１００）が落下しないように頭形状修正パッド（１００）を留めるための髪留め具（Ｈ）が、コの字型部と板バネ部（ｐｓ）と留め部材（ｈｈ）からなり、コの字型部の両端部と板バネ部（ｐｓ）の両端部とが、板バネ部（ｐｓ）が残留圧縮応力を有する形で結合してなり、コの字型部と留め部材（ｈｈ）で髪を挟み込んで、髪を留めることという特徴的な構成要件により、本考案が解決しようとする第１課題〜第２課題を達成することができ、当業者予測不可能な顕著な効果を奏することができた。
○第５の考案の効果
第５の考案によれば、上記のコの字型部と板バネ部（ｐｓ）が、結合してロの字型の板状となっていることという特徴的な構成要件により、本考案が解決しようとする第１課題〜第２課題を達成することができ、当業者予測不可能な顕著な効果を奏することができた。
【考案を実施するための最良の形態】
【０００８】
以下、本考案に係る、頭形状修正パッドに関する最良の実施形態について、図面を参照しながら説明する。
図１は、本発明に係る、形状修正パッドの斜視図である。
図２は、本発明に係る、形状修正パッドの平面図である。
図３は、本発明に係る、形状修正パッドの右側面図である。
図４は、髪留め具の平面図である。
図５は、髪を留める前の板バネ部の状態を表す図２のＡ−Ａ矢視断面図である。
図６は、髪を留める前の留め部材の状態を表す図２のＢ−Ｂ矢視断面図である。
図７は、髪を留めた時の板バネ部の状態を表す図２のＡ−Ａ矢視断面図である。
図８は、髪を留めた時の留め部材の状態を表す図２のＢ−Ｂ矢視断面図である。
図９（ａ）は、頭頂部後方が欠けているおにぎり頭の場合、本発明に係る、形状修正パッドを着用した場合の効果を表している。図９（ｂ）は、後頭後が平らな絶頂頭の場合、本発明に係る、形状修正パッドを着用した場合の効果を表している。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
以下、本考案に係る、頭形状修正パッドについて、図面（図１〜図９）を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の頭形状修正パッドにおいて、パッド部からなる頭形状修正パッドにおいて、パッド部が、周辺部から中心部に向けて盛り上がった形状をし、盛り上がった中心部に貫通孔を有し、スリット状の切欠き部を有し貫通孔から下方外周部まで、スリット状の切り欠き部を有してなることを特徴とする頭形状修正パッドが開示されている（図１〜図９）。
第１の考案によればパッド部からなる頭形状修正パッドにおいて、パッド部が、周辺部から中心部に向けて盛り上がった形状をし、盛り上がった中心部に貫通孔を有し、スリット状の切欠き部を有し貫通孔から下方外周部まで、スリット状の切り欠き部を有してなることという特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の頭形状修正パッドにおいて、スリット状の切欠き部のスリット幅が貫通孔部におけるより下方外周部において広くなっていることを特徴とする請求項１に記載された頭形状修正パッドが開示されている（図１〜図９）。
第２の考案によればスリット状の切欠き部のスリット幅が貫通孔部におけるより下方外周部において広くなっていることという特徴的な構成要件により、本考案が解決しようとする第１課題〜第５課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の頭形状修正パッドにおいて、上記のパッド部は詰め物とそれを覆う布から形成されてなることを特徴とする請求項１〜２の何れかに記載された頭形状修正パッドが開示されている（図１〜図９）。
第３の考案によれば上記のパッド部は詰め物とそれを覆う布から形成されてなることという特徴的な構成要件により、本考案が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の頭形状修正パッド１００において、頭形状修正パッド１００が落下しないように頭形状修正パッド１００を留めるための髪留め具Ｈが、コの字型部と板バネ部ｐｓと留め部材ｈｈからなり、コの字型部の両端部と板バネ部ｐｓの両端部とが、板バネ部ｐｓが残留圧縮応力を有する形で結合してなり、コの字型部と留め部材ｈｈで髪を挟み込んで、髪を留めることを特徴とする請求項１〜３の何れかに記載された頭形状修正パッド１００が開示されている（図１〜図９）。
第４の考案によれば、頭形状修正パッド１００が落下しないように頭形状修正パッド１００を留めるための髪留め具Ｈが、コの字型部と板バネ部ｐｓと留め部材ｈｈからなり、コの字型部の両端部と板バネ部ｐｓの両端部とが、板バネ部ｐｓが残留圧縮応力を有する形で結合してなり、コの字型部と留め部材ｈｈで髪を挟み込んで、髪を留めることという特徴的な構成要件により、本考案が解決しようとする第１課題〜第２課題を達成することができ、当業者予測不可能な顕著な効果を奏することができた。
５５５５５頭形状修正パッド１００＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の頭形状修正パッド１００において、上記のコの字型部と板バネ部ｐｓが、結合してロの字型の板状となっていることを特徴とする請求項4に記載された頭形状修正パッド１００が開示されている（図１〜図９）。
第５の考案によれば上記のコの字型部と板バネ部ｐｓが、結合してロの字型の板状となっていることという特徴的な構成要件により、本考案が解決しようとする第１課題〜第２課題を達成することができ、当業者予測不可能な顕著な効果を奏することができた。
【図面の簡単な説明】
【０００９】
【図１】図１は、本発明に係る、形状修正パッドの斜視図である。
【図２】図２は、本発明に係る、形状修正パッドの平面図である。
【図３】図３は、本発明に係る、形状修正パッドの右側面図である。
【図４】図４は、髪留め具の平面図である。
【図５】図５は、髪を留める前の板バネ部の状態を表す図２のＡ−Ａ矢視断面図である。
【図６】図６は、髪を留める前の留め部材の状態を表す図２のＢ−Ｂ矢視断面図である。
【図７】図７は、髪を留めた時の板バネ部の状態を表す図２のＡ−Ａ矢視断面図である。
【図８】図８は、髪を留めた時の留め部材の状態を表す図２のＢ−Ｂ矢視断面図である。
【図９】図９（ａ）は、頭頂部後方が欠けているおにぎり頭の場合、本発明に係る、形状修正パッドを着用した場合の効果を表している。図９（ｂ）は、後頭後が平らな絶頂頭の場合、本発明に係る、形状修正パッドを着用した場合の効果を表している。
【符号の説明】
【００１０】
Ｐ……パッド部
１００……頭形状修正パッド
ｃ……周辺部
ｏ……中心部
ｐｈ……貫通孔
Ｎ……切欠き部
ｉｂ……内容物
ｃｌ……布
ａｉｒ……大気
Ｈ……髪留め具
ｋｋ……コの字型部
ｐｓ……板バネ部
ｈｈ……留め部材
ｈｒ……髪の毛